(57)【特許請求の範囲】
【請求項１】
建物の外壁の一部をなす合成樹脂サイディングの出隅部材の取付具であって、折曲板体の左右両側片の端部に、外側に折曲状に形成された断面コ字状の係止溝部を有し、折曲板体の左右両側片に固定孔を設けてなる合成樹脂サイディングの出隅部材の取付具を、建物のコーナー部に、折曲板体の左右両側片の内側面を当接させて固定し、断面コ字状の係止溝部に、合成樹脂サイディングの出隅部材の板状固定部の端縁部を嵌め入れて係止させた後、前記出隅部材の板状固定部に形成された取付孔を利用して、前記出隅部材の板状固定部の端縁部と前記折曲板体の左右両側片の外側面を当接させた状態で、前記出隅部材を建物のコーナー部に取り付けることを特徴とする合成樹脂サイディングの出隅部材の取付方法。
【発明の詳細な説明】
【技術分野】
【０００１】
本発明は、建築物、構造物の外装材、特に外壁のコーナー部に使用される合成樹脂サイディングの出隅部材の取付具、およびこれを用いた合成樹脂サイディングの出隅部材の取付方法に関する。
【背景技術】
【０００２】
合成樹脂サイディングは、耐久性に優れ、塩害による錆や凍結融解によるひび割れもなく、また、目地にコーキングを必要とせず、撥水性、耐衝撃性に優れ、軽量で施工性も良好であることから、建物の長寿命の外装化粧材として、新築もしくは既存外壁のリフォームに使用されており、今後伸びがさらに期待されている。
【０００３】
このような合成樹脂サイディングを、建物の外壁に用いる場合、建物のコーナー部には、例えば、図２に示すような合成樹脂サイディングの出隅部材４が使用されている（非特許文献１）。
この出隅部材４は、建物のコーナー部に容易に取り付けられるように折り曲げられた長尺板体で、その左右両側片の端部には、図４に示すような、建物の外壁面に使用される合成樹脂製パネル１０の側端縁１１を嵌め入れる凹部９、９'と、間隔をあけて連続して設けられた取付孔８、８'が長手方向に形成されている。取付孔８，８'は、外気温度の変化による出隅部材４の伸縮を考慮して、長手方向に長穴として形成されている。
【０００４】
このような出隅部材４を、建物のコーナー部に取り付けるには、出隅部材４の左右両側片の端縁部にある板状固定部の内側面ａ、ｂを、建物のコーナー部の外側面に当接させ、取付孔８、８'を利用して釘もしくは螺子止め固定している。
しかし、出隅部材４は、厚さが１ｍｍ程度の合成樹脂を成型加工した長尺薄板であり、あまり剛性がなく柔軟であるために、建物のコーナー部に当接させながら出隅部材４の左右の取付孔８、８'を利用して、上下方向に順に釘や螺子で固定すると、変形が生じ易く、取付後の出隅部材４が、上下方向に一定の壁面交差角度（例えば、直角）を保ったままの美的外観を保持するのが難しい。
【０００５】
そこで、従来は、出隅部材４のコーナー部分を採寸し、この寸法に基づいて建物のコーナー部の左右外面に縦の線引きをし、そのラインに沿って出隅部材４を位置決めしながら取り付けていたり、水準器で垂直を確認しながら出隅部材４を取り付けていたが、手間がかかり作業効率が悪い。
合成樹脂サイディングは、軽量でかつ取り付けが素早くでき施工に時間を要しないという利点があるにもかかわらず、出隅部材の取り付けに、時間と手間を取ることがあったのでは、前記利点が減殺されてしまう。
【非特許文献１】「ポリマパネルSP/DS施工マニュアル」信越ポリマー株式会社製
【発明の開示】
【発明が解決しようとする課題】
【０００６】
本発明は、合成樹脂サイディングの出隅部材の取り付けが容易で、かつ取付後の外形が見栄え良く、施工の確実性と施工時間の短縮が可能な合成樹脂サイディングの出隅部材の取付具、およびこれを用いた合成樹脂サイディングの出隅部材の取付方法を提供することを課題とする。
【課題を解決するための手段】
【０００７】
本発明の合成樹脂サイディングの出隅部材用の取付具は、折曲板体の左右両側片の端部に、外側に折曲状に形成された断面コ字状の係止溝部を有することを特徴とする。
本発明の合成樹脂サイディングの出隅部材の取付具は、折曲板体の左右両側片に固定孔を設けるようにすると良い。
また、本発明の合成樹脂サイディングの出隅部材の取付方法は、前記した本発明の合成樹脂サイディングの出隅部材の取付具を、建物のコーナー部に、折曲板体の左右両側片の内側面を当接させて固定し、断面コ字状の係止溝部に、合成樹脂サイディングの出隅部材の板状固定部の端縁部を嵌め入れて係止させた後、前記出隅部材の板状固定部に形成された取付孔を利用して、前記出隅部材を建物のコーナー部に取り付けることを特徴とする。
【発明の効果】
【０００８】
本発明によれば、建物のコーナー部に合成樹脂サイディングの出隅部材を、迅速かつ確実に見栄え良く取り付け固定することができ、施工時間の短縮が図れる。
【発明を実施するための最良の形態】
【０００９】
以下、本発明の一実施の形態を、図に基づいて説明する。
図１は、本発明に係るサイディングの出隅部材の取付具の一例を示す斜視図であり、図２は、図１に示す取付具に使用される合成樹脂サイディングの出隅部材の一例を示す部分斜視図である。図３は、図１に示す取付具の使用例を示す模式的な部分横断面図であり、図４は、図１に示す取付具に適用可能な合成樹脂製パネルの一例を示す部分斜視図である。
【００１０】
図１に示すように、本発明のサイディングの出隅部材の取付具は、金属製等の剛性の大きな板状体を折曲状に形成した折曲板体１からなり、この折曲板体１の左右両側片２、２'の端部には、外側に折曲状に形成された断面コ字状の係止溝部３、３'が設けられている。
【００１１】
折曲板体１は、建物のコーナー部に取り付けられて、合成樹脂サイディングの出隅部材を前記コーナー部に取り付け固定する際の位置決めおよび仮止め部材としての機能を発揮するもので、通常、縦約１０ｃｍ、横約１５ｃｍの板状体が中央で折曲された構成であり、建物のコーナー部の上下方向に間隔を空けて取り付け固定される。
なお、折曲板体１の前記寸法は、限定されるものではなく、使用する建物のコーナー部や出隅部材の形状により決定される。
【００１２】
折曲板体１は、通常、厚さ０．５ｍｍ〜３ｍｍのステンレス、アルミ、鋼鉄等の金属板体を用いて、曲げ・折り曲げ加工によって成形されるが、塩化ビニル系樹脂、アクリル樹脂、ポリカーボネート樹脂、ポリエチレン樹脂、ポリプロピレン樹脂、ＡＢＳ樹脂、ＡＥＳ樹脂、ＡＳＡ樹脂、ＦＲＰ等の合成樹脂を押出成型、射出成形、プレス成形等の手段によって成形しても良い。また、厚さが厚くなると出隅部材を取り付け時に段差となり易い。
折曲板体１は、通常、折曲角度が直角のものが用いられるが、建物のコーナー部とそれに合せた出隅部材に相応した角度に形成される。
【００１３】
折曲板体１の左右両側片２、２'の端部に形成された断面コ字状の係止溝部３、３'は、図３に示すように、合成樹脂サイディングの出隅部材４の板状固定部５、５'の端縁部を嵌め入れ係止させるものである。
合成樹脂サイディングの出隅部材４を、建物のコーナー部に固定した折曲板体１に係止させることにより、出隅部材４が、上下方向に建物のコーナー部６の壁面交差角度に合致した角度を保持した見栄えの良い外形が得られる。
【００１４】
係止溝部３、３'は、合成樹脂サイディングの出隅部材４の板状固定部５、５'の端縁部を嵌め入れ係止できるように、係止溝部の幅が合成樹脂サイディングの出隅部材４の板状固定部５、５'の厚みより０．５ｍｍ〜５ｍｍ大きく、係止溝部の深さが３ｍｍ〜２０ｍｍであるのが好ましい。
係止溝部３、３'は、図１に示すように、折曲板体１の左右両側片２、２'の端縁部に沿って連続して形成してもよく、また間隔をあけて部分的に形成するようにしてもよい。
【００１５】
折曲板体１の左右両側片２、２'には、建物のコーナー部に取り付け固定するための固定孔７が設けられる。
折曲板体１は、この固定孔７を利用して、釘、螺子等を使って建物のコーナー部６に取り付け固定されるが、固定孔７を設けずに、折曲板体１の左右両側片２、２'の内側面に粘着剤層を設け、この粘着剤層を建物のコーナー部に押圧して固定するようにしても良い。また、左右両側片２、２'の外側面からテープ等を用いて建物のコーナー部に固定しても良い。
【００１６】
次に、本発明の取付具を用いた合成樹脂サイディングの出隅部材の取付方法の一例を図２に基づいて説明する。
まず、本発明の出隅部材の取付具を建物のコーナー部６に固定する。
固定は、図１に示すような、本発明の取付具の折曲板体１の左右両側片２、２'の内側折曲面Ａ、Ｂを、図３に示すように、建物のコーナー部６の外側面に当接させ、折曲板体１の左右両側片２、２'に設けられた固定孔７を利用して、釘、螺子止めにより行なわれる。
本発明の取付具の固定は、出隅部材の長さに応じて、建物のコーナー部６の上下方向に、１０ｃｍ〜２００ｃｍ間隔で行なうのが好ましい。さらに、出隅部材の長さ方向に２ケ所以上用いることが好ましい。
【００１７】
次いで、図２に示すような合成樹脂製サイディングの出隅部材４を建物のコーナー部６に近づけ、出隅部材４の板状固定部５、５'の端縁部を、上下に間隔をあけて固定された折曲板体１の左右両側片２、２'の端部に形成された断面コ字状の係止溝部３、３'に、順次嵌め入れて係止させる。
このようにして係止された合成樹脂製サイディングの出隅部材４は、建物のコーナー部６の外側面に仮止め状態となる。
【００１８】
次に、この仮止め状態の出隅部材４の板状固定部５、５'に形成された取付孔８、８'を利用して、出隅部材４を建物のコーナー部６の外側面に、釘や螺子止め等の手段によって固定し、取り付け作業は終了する。
なお、出隅部材４の取付孔８、８'が、折曲板体１の左右両側片２、２'上に掛かる場合には、そのまま左右両側片２、２'の上から螺子止め手段等によって固定する。
【００１９】
上記したように、本発明の取付具を使用して、合成樹脂サイディングの出隅部材を建物のコーナー部の外側面に取り付けると、従来行なわれてきた出隅部材４のコーナー部分の採寸やこの寸法に基づく建物のコーナー部側面への線引き、並びにそのラインに沿った出隅部材４の取り付け等の手間が不要となる。
そのため、施工時間の短縮と、コストの削減を図ることができ、見栄えの良い取付けが実現できる。
【産業上の利用可能性】
【００２０】
本発明に係る合成樹脂サイディングの出隅部材の取付具を用いた出隅部材の取付方法は、取り付け作業工程を短縮できるので、今後大幅な伸びが期待されるサイディングの分野における産業上の利用可能性は大きい。
【図面の簡単な説明】
【００２１】
【図１】本発明に係るサイディングの出隅取付部材の一例を示す斜視図である。
【図２】図１に示す取付具に使用される合成樹脂サイディングの出隅部材の一例を示す部分斜視図である。
【図３】図１に示す取付部材の使用例を示す模式的な横断面図である。
【図４】図１に示す取付具に適用可能な合成樹脂製パネルの一例を示す部分斜視図である。
【符号の説明】
【００２２】
１  折曲板体
２、２'  折曲板体の側辺
３、３'  折曲板体の係止溝部
４  出隅部材
５、５'  出隅部材の板状固定部
６  建物のコーナー部
７、７'  固定孔
８、８'  取付孔
９、９'  出隅部材の凹部
１０  合成樹脂製パネル
１１  合成樹脂製パネルの側端縁
ａ、ｂ  出隅部材の板状固定部の内側面
Ａ、Ｂ  折曲板体の内側折曲面
【図１】
0005311452.tif 000002
【図２】
0005311452.tif 000003
【図３】
0005311452.tif 000004
【図４】
0005311452.tif 000005